(57)【要約】【課題】所定の設定項目を操作する対象を自動的に制限させることが可能な設定システムを提供する。【解決手段】空調機の操作設定を行うための空調システム１００であって、ＲＦＩＤタグ４０と、コントローラ１を備えている。ＲＦＩＤタグ４０は、所定のＩＤデータを送信する。コントローラ１は、所定のＩＤデータを受信するタグリーダ１０を有している。このコントローラ１には、操作設定を行うモードとして２つの設定モードが設けられている。そして、コントローラ１は、タグリーダ１０が所定のＩＤデータを受信した場合に、２つのうちの所定の設定モードの操作設定を許容する。【選択図】図１
2009162440.tif 000002
【特許請求の範囲】
【請求項１】
空調機または給湯器の操作設定を行うための設定システム（１００）であって、
所定信号を送信する送信手段（４０）と、
前記所定信号を受信する受信手段（１０）を有し、前記操作設定を行うモードとして第１設定モードと、第２設定モードとが設けられているコントローラ（１）と、
を備え、
前記コントローラ（１）は、前記受信手段（１０）が前記所定信号を受信した場合に、前記第１設定モードの操作設定を許容する、
設定システム（１００）。
【請求項２】
前記送信手段（４０）は、非接触ＩＣカードである、
請求項１に記載の設定システム（１００）。
【請求項３】
前記コントローラ（１）は、前記第２設定モードの操作設定を、前記第１設定モードが許容されている場合を除いて、常時受け付ける、
請求項１から３のいずれか１項に記載の設定システム（１００）。
【請求項４】
前記送信手段（４０）は、前記第１設定モードの操作設定内容のデータを格納しており、前記所定信号を送信するとともに、前記第１設定モードの操作設定内容のデータを送信することが可能であり、
前記コントローラ（１）は、前記受信手段（１０）が前記所定信号および前記第１設定モードの操作設定内容のデータを受信した場合に、前記第１設定モードの操作設定内容のデータに基づいて前記第１設定モードの操作設定を行う、
請求項１から３のいずれか１項に記載の設定システム（１００）。
【発明の詳細な説明】
【技術分野】
【０００１】
本発明は、リモコンを用いた空調機または給湯器の設定システムに関する。
【背景技術】
【０００２】
従来、ユーザの有する通信手段を用いて空調設備の制御等を行うシステムが提案されている。
【０００３】
例えば、以下に示す特許文献１に記載の空調システムでは、ユーザにＲＦＩＤタグを所持させておき、タグリーダによって読み取り可能な所定範囲内に何人のユーザが存在しているか、どのような属性のユーザが存在しているか等の情報を収集することができるようになっている。これにより、空調制御において、ユーザの人数や属性を反映させた制御を、自動的に行うことで、快適性の向上等を図ることができている。
【特許文献１】特開２００６−１２５７２０号公報
【発明の開示】
【発明が解決しようとする課題】
【０００４】
しかし、上記特許文献１に記載の空調システムでは、ＲＦＩＤタグ等の通信手段は、個々のユーザの属性等を空調制御の内容に反映させる目的で用いられているに過ぎない。
【０００５】
ここで、空調システムのコントローラの設定項目として、ユーザが設定操作する設定項目と、サービスエンジニア等の空調システムについて精通した者でなければ適切な操作を行うことが難しい設定項目とが存在する場合がある。そして、コントローラの構成においてユーザに対していずれの設定項目の操作も許容されている場合には、ユーザの誤操作による不具合が生じるおそれがある。
【０００６】
本発明は、上述した点に鑑みてなされたものであり、本発明の課題は、所定の設定項目を操作する対象を自動的に制限させることが可能な設定システムを提供することにある。
【課題を解決するための手段】
【０００７】
第１発明に係る設定システムは、空調機または給湯器の操作設定を行うための設定システムであって、送信手段と、コントローラを備えている。送信手段は、所定信号を送信する。コントローラは、所定信号を受信する受信手段を有している。このコントローラには、操作設定を行うモードとして第１設定モードと、第２設定モードとが設けられている。そして、コントローラは、受信手段が所定信号を受信した場合に、第１設定モードの操作設定を許容する。ここで、受信手段をコントローラが有しているということには、コントローラの内部に受信手段が内蔵されている場合に限られず、コントローラの外側に受信手段が設けられている場合や、受信手段がコントローラと通信可能に接続されている場合等も含まれる。
【０００８】
ここでは、コントローラの第１設定モードの操作設定を行うために、送信手段によって所定信号を送信させ、受信手段に受信させる必要がある。このため、例えば、第１設定モードを、空調機や給湯器について特定の人間にのみ操作設定を許容するシステムを構築したい場合等には、送信手段を当該特定の人間に所持させることでこのようなシステムを実現することができる。
【０００９】
これにより、特定の人間以外の者によってコントローラが誤操作されることにより、設定が不用意に変更されることを防止しつつ、特定の人間のみに確実に操作設定を行わせることが可能になる。
【００１０】
第２発明に係る設定システムは、第１発明の設定システムであって、送信手段は、非接触ＩＣカードである。
【００１１】
ここでは、受信手段に対して非接触に所定信号を受信させることができるため、第１設定モードを許容させる操作を簡単にすることが可能になる。
【００１２】
第３発明に係る設定システムは、第１発明または第２発明の設定システムであって、コントローラは、第２設定モードの操作設定を、第１設定モードが許容されている場合を除いて、常時受け付ける。
【００１３】
ここでは、コントローラの第２設定モードの操作設定は、第１設定モードの操作設定が許容されている状況を除いて、常時行うことができる。このため、例えば、特定の人間にのみ第１設定モードの操作設定を許容し、特定の人間以外の人間には常時第２設定モードの操作設定を常時許容するシステムを構築したい場合には、当該特定の人間以外の人間には送信手段を所持させることなく、当該特定の人間にのみ当該送信手段を所持させることにより、このようなシステムを実現することができる。
【００１４】
これにより、特定の人間以外の人間による第２設定モードについての操作設定は、特定の人間が送信手段を用いて第１設定モードについて操作設定する場合を除いて、常時受け付けられるため、特定の人間以外の人間による第１設定モードについての誤操作を防止しつつ、特定の人間以外の人間による第２設定モードの操作設定を簡易なものとすることが可能になる。
【００１５】
第４発明に係る設定システムは、第１発明から第３発明のいずれかの設定システムであって、送信手段は、第１設定モードの操作設定内容のデータを格納しており、所定信号を送信するとともに、第１設定モードの操作設定内容のデータを送信することが可能になっている。そして、コントローラは、受信手段が所定信号および第１設定モードの操作設定内容のデータを受信した場合に、第１設定モードの操作設定内容のデータに基づいて第１設定モードの操作設定を行う。
【００１６】
ここでは、送信手段は、予め、特定の人間にのみ操作設定が許容されている第１設定モードの操作設定内容のデータを有しており、所定信号の送信とともに、第１設定モードの操作設定内容のデータも、コントローラに対して送信することで、受信手段に受信させることができる。そして、コントローラは、受信手段が所定信号を受信したことにより第１設定モードの操作設定を許容した状態となり、受信手段が受信した第１設定モードの操作設定内容のデータに基づいて、第１設定モードの設定操作が行われる。
【００１７】
これにより、送信手段とコントローラの受信手段との通信が行われるだけで、第１設定モードによる操作設定を行わせることが可能になる。
【発明の効果】
【００１８】
第１発明の設定システムでは、特定の人間以外の者によってコントローラが誤操作されることにより、設定が不用意に変更されることを防止しつつ、特定の人間のみに確実に操作設定を行わせることが可能になる。
【００１９】
第２発明の設定システムでは、受信手段に対して非接触に所定信号を受信させることができるため、第１設定モードを許容させる操作を簡単にすることが可能になる。
【００２０】
第３発明の設定システムでは、特定の人間以外の人間による第１設定モードについての誤操作を防止しつつ、特定の人間以外の人間による第２設定モードの操作設定を簡易なものとすることが可能になる。
【００２１】
第４発明の設定システムでは、送信手段とコントローラの受信手段との通信が行われるだけで、第１設定モードによる操作設定を行わせることが可能になる。
【発明を実施するための最良の形態】
【００２２】
以下、図面に基づいて、本発明に係る空調システムの実施形態について説明する。
【００２３】
＜空調システム１００の概略構成＞
空調システム１００は、複数の室内機３を運転制御することが可能なシステムであって、図１に示すように、コントローラ１と、室外機２と、室内機３ａ〜３ｃと、ＲＦＩＤタグ４０とを備えている。
【００２４】
一台の室外機２は、複数台の室内機３ａ〜３ｃに対して、連絡配管および伝送線７を介して接続されている。そして、室外機２と複数の室内機３ａ〜３ｃとの間で冷媒が循環することにより、室内機３が設置されている空間が空調される。ここで、複数の室内機３ａ〜３ｃは、それぞれ同一空間に設けられていてもよいし、それぞれ仕切られた個別の空間に設けられていてもよい。
【００２５】
コントローラ１は、室外機２と複数の室内機３ａ〜３ｃとを接続する伝送線７に対して、コントローラ通信線８を介して接続されている。このコントローラ１には、後述するＲＦＩＤタグ４０から送信されてくる所定信号の受信を行うタグリーダ１０が内蔵されている。また、コントローラ１には、各種入力操作ボタン（運転／停止ボタン１４、運転切換ボタン１５等）や、液晶表示パネル（ＬＣＤ）７５が設けられており、運転モードの変更や、設定温度の変更や、風量、室内機３の個別アドレス設定、等を入力することが可能になっている。
【００２６】
ＲＦＩＤタグ４０は、上記タグリーダ１０に対して、非接触にデータを送信することができる。ここで、ＲＦＩＤタグ４０は、所定のＩＤデータを格納している。そして、ＲＦＩＤタグ４０がタグリーダ１０と所定距離未満の状態になった場合に、ＲＦＩＤタグ４０からコントローラ１のタグリーダ１０に向けて所定のＩＤデータが送信される。例えば、ＲＦＩＤタグ４０を所持している人間が、タグリーダ１０を内蔵しているコントローラ１からの距離が所定距離未満となる位置にいると、ＲＦＩＤタグ４０から、コントローラ１のタグリーダ１０に対して所定のＩＤデータが送信される。
【００２７】
ここで、図２に、空調システム１００のブロック構成図を示す。
【００２８】
コントローラ１は、制御部７０、ＲＯＭ７１、ＲＡＭ７２、ＲＦＩＤタグ４０に格納されているＩＤデータを予め格納しているデータベース７３、液晶表示パネル７５、タグリーダ１０、運転／停止ボタン１４、運転切換ボタン１５等を備えており、通信線８等で接続されている。ＲＦＩＤタグ４０から送信される所定のＩＤデータを、タグリーダ１０が受信すると、制御部７０は、受信したＩＤデータがデータベース７３に格納されたデータと対応しているか否か判断する。そして、対応している場合には、例えば一時的に、所定の操作設定項目の入力を許容し、それ以外の場合には、所定の操作設定項目の入力を許容しない。
【００２９】
＜ユーザとサービスエンジニアによる設定の相違＞
上述した空調システム１００では、図１に示すように、空調対象空間に存在し、空調システム１００を利するユーザＰと、上記ＲＦＩＤタグ４０を所持しており空調システム１００の各種設定を行うサービスエンジニアＳＥと、が存在する。
【００３０】
ここで、上述したコントローラ１において、入力操作ボタンや、表示画面等を介して入力を行う複数の項目のうち、ユーザＰが設定する項目と、サービスエンジニアＳＥが設定する項目とは、分けられている。
【００３１】
ユーザＰは、コントローラ１の運転／停止ボタン１４、運転切換ボタン１５等の入力操作ボタンや、液晶表示パネル７５を利用して、例えば、空調システム１００における、室内機３ａの設定温度を変更を行ったり、冷暖房の運転モードの切換を行ったりすることができる。
【００３２】
サービスエンジニアＳＥは、空調システム１００の詳細設定を熟知した者である。このサービスエンジニアＳＥは、上述したユーザＰがコントローラ１に対して入力可能な事項の他に、コントローラ１に対して、各室内機３ａ〜３ｃからの風量を設定変更したり、各室内機３ａ〜３ｃの設定アドレスデータを変更したりする操作設定を行うことができる。
【００３３】
ここで、空調システム１００では、上述したユーザＰおよびサービスエンジニアＳＥがコントローラ１に対して操作設定可能な内容については、コントローラ１は、常時、受け付けている。例えば、運転／停止ボタン１４、運転切換ボタン１５等によるコントローラ１への操作設定入力などである。しかし、サービスエンジニアＳＥのみがコントローラ１に対して操作設定可能な内容については、コントローラ１は、ＲＦＩＤタグ４０からの所定のＩＤデータをタグリーダ１０が受信しなければ、受け付けない。
【００３４】
具体的には、サービスエンジニアＳＥは、ＲＦＩＤタグ４０を所持しており、コントローラ１のタグリーダ１０に対して、ＲＦＩＤタグ４０に格納されている所定のＩＤデータを送信することにより、サービスエンジニアＳＥのみがコントローラ１に対して入力可能な操作設定を許容させて、操作設定を行う。
【００３５】
このため、ユーザＰは、ＲＦＩＤタグ４０を所持しているサービスエンジニアＳＥのみに許容されている操作設定を行うことはできない。
【００３６】
＜本実施形態に係る空調システム１００の特徴＞
（１）
上記実施形態の空調システム１００では、コントローラ１においてサービスエンジニアＳＥに許容された操作設定を行うためには、ＲＦＩＤタグ４０によって所定のＩＤデータを送信して、コントローラ１に内蔵されたタグリーダ１０に受信させることが必要になる。
【００３７】
このため、例えば、サービスエンジニアＳＥにＲＦＩＤタグ４０を所持させる、ユーザＰにはＲＦＩＤタグを所持させないようにするだけで、コントローラ１のサービスエンジニアＳＥにのみ許容された操作設定項目がユーザＰ誤操作されることを防ぐことができる。これにより、コントローラ１のサービスエンジニアＳＥにのみ許容された操作設定項目の内容が不用意に変更されることを防止しつつ、サービスエンジニアＳＥにのみ確実に操作設定を行わせることができる。
【００３８】
（２）
例えば、暗号キー入力等の複雑なボタン操作によってサービスエンジニアＳＥに許容された操作設定項目の入力が可能となるような構成では、暗号キーの情報が漏れてしまうことにより、ユーザＰに許容していないことの意味が無くなってしまうおそれがある。
【００３９】
これに対して、本実施形態の空調システム１００では、このようなＲＦＩＤタグ４０というハードとタグリーダ１０との間で非接触にＩＤデータを送信可能であり、サービスエンジニアＳＥにのみ許容された操作設定項目の入力が可能にすることができ、暗号キーのような漏れの心配もない。
【００４０】
＜変形例＞
以上、本発明の実施形態について図面に基づいて説明したが、具体的な構成は、これらの実施形態に限られるものではなく、以下のように、発明の要旨を逸脱しない範囲で変更可能である。
【００４１】
（Ａ）
上記実施形態では、空気調和装置の操作設定システムにおいて認証システムを適用した場合について例に挙げて説明した。
【００４２】
しかし、本発明はこれに限定されるものではなく、認証システムは、給湯器の操作設定システムにおいて適用してもよい。この場合であっても、同様の効果を奏することが可能になる。
【００４３】
（Ｂ）
上記実施形態の空気調和装置１００では、場合を例に挙げて説明した。
【００４４】
しかし、本発明はこれに限られるものではなく、例えば、ＲＦＩＤタグ４０において、予め、サービスエンジニアＳＥがコントローラ１に対して操作設定する内容を格納させておき、タグリーダ１０に対する所定のＩＤデータの送信とともに送信させる構成であってもよい。
【００４５】
これにより、例えば、タグリーダ１０が受信したＩＤデータがデータベース７３に対応していると制御部７０が判断した場合には、制御部７０は、ＲＦＩＤタグ４０を所持しているサービスエンジニアＳＥによる操作設定を許容した状態にする。そして、制御部７０は、このＩＤデータに対応して受信した操作設定内容を読み取って、空調システム１００の設定変更を行うことができる。
【００４６】
これにより、ＲＦＩＤタグ４０とコントローラ１のタグリーダ１０との通信が行われるだけで、専門知識を有するサービスエンジニアＳＥが特に操作を行う必要なく、所定の操作設定を完了させることができる。
【産業上の利用可能性】
【００４７】
本発明を利用すれば、圧縮機の脈動を低減させることができるため、特に、脈動が生じる圧縮機を採用した空気調和装置に適用した場合に有用である。
【図面の簡単な説明】
【００４８】
【図１】空調システムの概略構成図である。
【図２】空調システムのブロック構成図である。
【符号の説明】
【００４９】
１  コントローラ
１０  タグリーダ（受信手段）
４０  ＦＲＩＤタグ（非接触ＩＣカード、送信手段）
１００  空調システム（設定システム）
【図１】
2009162440.tif 000003
【図２】
2009162440.tif 000004